(57)【特許請求の範囲】
【請求項１】
加入者に電気通信用の複数の異なるサービスを同時に提供し、複数の無線セルを含むネットワーク構成を有する、実在のセルラー方式無線通信ネットワークを最適化する方法であって、各セルはセル領域をカバーし、セル領域は領域エレメントにさらに分割され、前記ネットワーク構成はネットワーク構成パラメータによって定義され、本方法は、
測定またはシミュレーションによって、前記領域エレメントに対して、サービス固有の加入者トラヒックについて場所を基準とした値を決定するステップと、
前記セルの各々において、一定の伝送パワーの基準信号を送信するステップと、
前記領域エレメントの各々に対して、１または複数の前記基準信号からそれぞれ受信されたパワーの、セルを基準とした値を与えるステップと、
もとのモデルネットワーク構成を有する前記通信ネットワークのモデルを与えるステップと、
前記領域エレメントの各々に、最も良い受信パワーを有するセルを割り当てるステップとを含み、前記割り当ては前記通信ネットワークのモデルにおけるセル領域を定め、
前記方法は、さらに、
すべてのセルに対してそれぞれ、セルに対して割り当てられた前記領域エレメントの前記測定された前記サービス固有の加入者トラヒックの値を各サービスに対して別個に累積および重み付けすることによってセルごとの加入者トラヒックを決定することによって、前記モデルネットワーク構成を反復的に最適化するステップと、
セル間のトラヒックの分散の最大のバランスを達成するために前記通信ネットワークのモデルにおける個々のネットワーク要素でネットワーク構成のパラメータの変動によって前記セル領域を局所的に動かして、最適化されたモデルネットワーク構成を与えるステップとを備え、前記各加入者トラヒックの値の重みは、前記サービスによって発生した無線干渉、および加入者によって利用される加入者ごとの通信ネットワークリソースの利用率に依存し、
前記方法は、さらに、
前記最適化されたモデルネットワーク構成を前記実在の通信ネットワークに用いるステップを含む、方法。
【請求項２】
前記領域エレメントに関連する、前記トラヒックの値および受信されたパワー値は行列を定義する、請求項１に記載の方法。
【請求項３】
信号伝送の際のパス損失は前記通信ネットワークモデルに含まれる、請求項１に記載の方法。
【請求項４】
前記加入者トラヒックの値を重み付けする前記ステップの重みは、前記加入者トラヒックの値に依存して行なわれる、請求項１に記載の方法。
【請求項５】
無線干渉は提供される各サービスによって発生し、前記通信ネットワークのリソースは加入者によって利用され、加入者ごとの利用率を定義し、各サービスに対して、前記加入者トラヒックの値を重み付けする前記ステップの重みは、前記サービスによって発生した前記無線干渉、加入者ごとのリソースの利用率、および前記サービスの他のパラメータに依存して行なわれ、前記他のパラメータは、システム帯域幅、チャネル幅、信号パワー対干渉パワー比、アクティビティ因子、およびコード制限のグループのうちから１つ以上のパラメータを含む、請求項１に記載の方法。
【請求項６】
適切な無線通信ネットワークのその後のネットワークシミュレーションによって、前記通信ネットワークモデルにおける前記最適化されたネットワーク構成を検証するステップをさらに含む、請求項１に記載の方法。
【請求項７】
適切な無線通信ネットワークモデルのその後のネットワークシミュレーションによって、前記最適化されたネットワーク構成を検証するステップをさらに含み、これは動的ネットワークシミュレーションで動作し、ネットワーク品質を評価するための意味のある特徴を定めるために、前記通信ネットワークの、時間に関連する態様を適切にモデル化する、請求項１に記載の方法。
【請求項８】
適切な無線通信ネットワークモデルのその後のネットワークシミュレーションによって、前記最適化されたネットワーク構成を検証するステップをさらに含み、これは動的ネットワークシミュレーションで動作し、ネットワーク品質を評価するための意味のある特徴を定めるために、前記通信ネットワークの、時間に関連する態様を適切にモデル化し、前記最適化されたネットワーク構成に適用される前記ネットワークシミュレーションは統計的ネットワークシミュレーション方法に従い動作し、ネットワーク品質を評価するための統計的特徴を定めるために、通信ネットワークのその瞬間の状態が多数モデル化される、請求項１に記載の方法。
【請求項９】
前記通信ネットワークは個々のセル面を含む領域をカバーし、さらに、
前記通信ネットワークによってカバーされた前記エリアのマップを与えるステップと、
前記個々のセル面の加入者トラヒックの分散を定めるステップと、
前記マップ上の加入者トラヒックの前記分散を、前記加入者トラヒックの値に一義的に関連する色で、図形的に表示するステップとを含む、請求項１に記載の方法。
【請求項１０】
前記通信ネットワークは個々のセル面を含む領域をカバーし、さらに、
前記通信ネットワークによってカバーされた前記エリアのマップを与えるステップと、
前記個々のセル面の加入者トラヒックの分散を定めるステップと、
前記マップ上の加入者トラヒックの前記分散を、前記加入者トラヒックの値に一義的に関連する色で、図形的に表示するステップと、
セルごとに与えられる平均加入者トラヒックから明確に外れるセルを特定するステップと、
本方法の反復的ステップにおいて、加入者トラヒックのセル間の均一の分散を達成するために、前記外れたセルとともに前記通信ネットワーク構成のパラメータを変更するステップとを含む、請求項１に記載の方法。
【請求項１１】
各反復ステップにおいて、前記セルの地理的近傍関係の分析から行列フィールドの行列を定義するステップを含み、前記セルの各々は前記行列のある列および行に関連付けられ、さらに
前記加入者トラヒックの値の差異を前記行列フィールドに記すステップと、
前記通信ネットワークのネットワーク構成を改善するために、後で前記ネットワーク構成パラメータの特定のものが変更される、少なくとも１つのセルを前記行列から定めるために、自動化プロセスを与えるステップとをさらに含む、請求項１に記載の方法。
【請求項１２】
適切な無線ネットワークモデルのネットワークシミュレーションにより、前記最初のネットワーク構成を評価するステップと、
付加的入力として、前記ネットワークシミュレーションに、セルに関連するスループットを入力するステップとをさらに含む、請求項１に記載の方法。
【請求項１３】
適切な無線ネットワークモデルのネットワークシミュレーションにより、前記最初のネットワーク構成を評価するステップと、
付加的入力として、前記ネットワークシミュレーションに、セルに関連するスループットを入力するステップと、
さらに付加的境界条件として、所望接続の局所的に発生する拒否、接続中断の理由および場所のグループのうちから選択される量を入力するステップとをさらに含む、請求項１に記載の方法。
【請求項１４】
実在の通信ネットワークから測定された量の値を与えることにより、前記最初のネットワーク構成を評価するステップと、
これらの測定された値を、通信ネットワークのセル間のトラヒックの分散の最適化において、付加的入力として用いるステップとをさらに含む、請求項１に記載の方法。
【請求項１５】
移動加入者を有するセルラー方式無線通信ネットワークを最適化するための装置であって、
移動加入者への無線接続を確立するための無線アクセスネットワーク手段と、
固定的にネットワーク化された伝送チャネルを有する通信ネットワーク手段とを含み、前記通信ネットワーク手段はネットワーク構成を有し、さらに、
データベース手段を前記通信ネットワーク手段と通信させるための、データベース手段および双方向インターフェイス手段を含み、それにより前記通信ネットワークの現在の状態が前記データベース手段に格納され、
請求項１の方法に含まれる、
測定またはシミュレーションによって、前記領域エレメントに対して、サービス固有の加入者トラヒックについて場所を基準とした値を決定するステップと、
前記セルの各々において、一定の伝送パワーの基準信号を送信するステップと、
前記領域エレメントの各々に対して、１または複数の前記基準信号からそれぞれ受信されたパワーの、セルを基準とした値を与えるステップと、
もとのモデルネットワーク構成を有する前記通信ネットワークのモデルを与えるステップと、
前記領域エレメントの各々に、最も良い受信パワーを有するセルを割り当てるステップと、前記割り当ては前記通信ネットワークのモデルにおけるセル領域を定め、
すべてのセルに対してそれぞれ、セルに対して割り当てられた前記領域エレメントの前記測定された前記サービス固有の加入者トラヒックの値を各サービスに対して別個に累積および重み付けすることによってセルごとの加入者トラヒックを決定することによって、前記モデルネットワーク構成を反復的に最適化するステップと、
セル間のトラヒックの分散の最大のバランスを達成するために前記通信ネットワークのモデルにおける個々のネットワーク要素でネットワーク構成のパラメータの変動によって前記セル領域を局所的に動かして、最適化されたモデルネットワーク構成を与えるステップとが中で実施されるコンピュータ手段とを備え、前記各加入者トラヒックの値の重みは、前記サービスによって発生した無線干渉、および加入者によって利用される加入者ごとの通信ネットワークリソースの利用率に依存し、
前記装置は、さらに、
前記コンピュータ手段に通信ネットワークの仮想モデルを生成するためのシミュレーション手段を含み、前記シミュレーション手段は前記ネットワーク構成の現在の状態を有して前記データベース手段からロードされ、前記仮想モデルは、前記コンピュータ手段において処理されて、整合したネットワーク構成を与え、さらに、
前記モデルの前記現在の状態を前記データベースに再び伝送するための手段を含む、装置。
【請求項１６】
前記固定的にネットワーク化された伝送チャネルは、自由に接続されるようさらに分割される、請求項１５に記載の装置。
【請求項１７】
前記整合されたネットワーク構成を前記データベースから前記通信ネットワークに転送するための手段をさらに含む、請求項１５に記載の装置。
【請求項１８】
前記データベース手段は、互いに結合される複数のデータベースにさらに分割される、請求項１５に記載の装置。
【請求項１９】
前記現在のネットワーク構成および現在のトラヒックデータを前記データベース手段から前記コンピュータ手段に転送するための手段と、
現在のネットワーク状況の整合を改善する構成であって、前記コンピュータ手段において仮想ネットワーク構成を定めるために、請求項１の最適化方法を適用するための、前記コンピュータ手段で実施される手段と、
前記改善されたネットワーク構成を直接後で前記データベース手段に戻すために、さらにそこから前記通信ネットワークに送って、リアルタイムで有効になるための手段とを含む、請求項１５に記載の装置。
【発明の詳細な説明】
【技術分野】
【０００１】
発明の主題
本発明は、請求項１のプリアンブルに従い、セルラー方式無線通信ネットワークにおけるメッセージのスループットを最適化する方法、および独立請求項１４のプリアンブルに従い、この方法を実行するための装置に関する。
【背景技術】
【０００２】
先行技術
セルラー方式無線ネットワークを導入することは、ネットワークの構築ならびに後の拡張および動作の際に、利用可能なハードウェアのリソースおよび周波数帯域幅を最適に利用できる構造を見つけるという問題を最初から課していた。特に、目標は満足できるネットワーク品質および適切なネットワーク利用性を有するメッセージのスループットと、ネットワーク受信可能エリアとをそれぞれ最大にすることである。そこでは、具体的な目標の数量は異なり得る。したがって、たとえばジャムレートは、たとえば米国特許第５，８２６，２１８号に記載されているように、低減できる。ＷＯ  ９８／５３６２１も測定されたパイロット受信電力値に基づいている。ネットワーク最適化の目標を達成するために、ネットワーク構造の異なるパラメータが調整され、一般に局所的に限定される。これは、たとえば米国特許第５，２７６，９０７号のようにアンテナダイアグラムもしくはパイロットパワーの調整、またはＷＯ  ０１／３７４４６  Ａ１のようにレシーバの感度の調整であるかもしれない。
【０００３】
一般にセルラー方式の電話ネットワークでは、従来の同報通信と同様に、静止した伝送局から移動しているかもしれない加入者への情報しか伝送されないが、近傍の電波伝搬特性に基づき、主にネットワーク受信可能エリアに対してネットワーク構成を最適化する方法が用いられている。これを行なう際、実質的に電波伝搬シミュレーションおよび／または平均受信パワーやネットワークの特定の場所でのサービスの品質の測定値が用いられる。このような方法の基本的技術は、Norbert GengおよびWerner Wiesbeckの「移動通信のための割当て方法」、シュプリンダー出版ベルリン、１９９８年、ＩＳＢＮ  ３−５４０−６４７７８−３に記載されている。
【０００４】
多くの周波数帯域を用いるＧＳＭ規格のような通信ネットワークでは、周波数帯域はネットワークの個々のセルに割当てられる。これを行なう際、ネットワークのセルに対して周波数帯域を適切に分散することは、周波数の低減に決定的な役割を果たし、それによりスループットを最大にする。このようなネットワークの周波数割当て方法は、「自動周波数割当て」（ＡＦＰ）という表現でまとめられている。
【０００５】
国際的な「第三世代パートナーシッププロジェクト」（３ＧＰＰ）のフレームワーク内で開発されている、たとえばＵＭＴＳ規格に従う、第三世代の移動通信ネットワークに対する多様な移動データ通信サービスおよび開発が益々重要になってきているが、サービスに特有の加入者トラヒックに対する要求を満たすネットワーク割当てがさらに重要になってきている。種々の利用可能なサービスは、そのバースト態様、回線またはパケット交換伝送モード、データ速度、平均伝送パワー、および下り回線と上り回線との対称性／非対称性について、かなり異なる特性を有する。さらに、種々のサービスの部分的にかなり異なる物理的伝送特性も、一般に異なる転送チャネルが用いられているので、考慮しなければならない。第三世代移動通信ネットワークに対するこのような特有な要求は、通信ネットワークを最適化する目的について、先行技術ならびに従来の方法および装置によっては満たされていない。
【発明の開示】
【発明が解決しようとする課題】
【０００６】
発明の課題
ネットワークオペレータの立場から、提供されるサービスのすべては実質的に等しい通話品質および等しい受信可能エリアで利用できることが重要であると思われる。したがって、通信ネットワークで利用可能なサービスを適切な品質で提供領域全体に対して与える、ネットワーク最適化プログラムを用いることが必要であると思われる。
【０００７】
本発明の課題は、電気通信用の異なるサービスの異種の要求を考慮して、通信ネットワークの既存のネットワーク構造を迅速に、コストパフォーマンス良く、さらに効率的に最適化して、既存のネットワーク受信可能エリアを維持しながら、スループットおよびネットワーク品質について等しく優れた、しかし一般に改善された、ネットワーク構成が利用できるようにすることである。これを行なう際、セル位置を変更することは適切な最適化手段ではない。
【課題を解決するための手段】
【０００８】
課題の解決
本課題は請求項１の特徴項の主題により、はじめに言及した方法によって解決される。さらに、課題は請求項１４の特徴項により、はじめに言及した種類の装置で解決される。
【０００９】
本発明に従い、課題は以下により解決される：ネットワーク構成の特定の設定について、特にアンテナ配向またはたとえば監視通信路の基準信号の伝送パワーについて、１回または複数回の反復的変更により、本方法によって選択されたセルにおいて改善されたネットワーク構成が定められ、その構成において対象のネットワーク領域でのセル領域基準加入者トラヒックができるだけバランスを保つようにする。セル間の理想的にバランスが保たれたトラヒック分散により、トラヒックは所定のセル位置で最適に行なわれ得る。本方法はセル領域の図形的表示によって支援され、それぞれのセルのトラヒックに対応する色で色付けされる。したがって、トラヒックが多く問題のある領域は容易に特定することができ、本発明に従いネットワーク構成はこれらの場所において特定的に調整することができる。移動通信ネットワークにおける他の数量について、問題領域を特定するためのグラフィックによる支援の別の方法はＷＯ  ００／２８７５６に提案されている。
【発明の効果】
【００１０】
本発明の方法はどのようなセルラー方式無線通信ネットワークにも用いることができる。特に、本方法はたとえばＵＭＴＳ規格に従って動作し、移動加入者に複数の異なる電気通信サービスを提供する、第三世代ネットワークに適する。本方法の利点は、ネットワーク構成を最適化する場合、通信ネットワークにおいて異なる要求を有する提供されているサービスはいくつでも含めることができる点にある。
【００１１】
本方法のさらなる利点は、他の方法と比較して、結果が得られる速度が高い点にある。これは、本発明の方法が、通信ネットワークの測定されたデータもしくは割当てデータ、またはその組合せにのみ基づいていることによるものであり、これらのデータは一般に、割当て手順において必要となるので、前もって利用可能である。反復最適化処理において、たとえばＤＥ  １９６  １９２０８  Ａ１の場合のように、通信ネットワーク態様のシミュレーションは必要ない。本発明の方法は容易に自動化でき、それによりコンピュータ化された実施を可能にする。本発明の方法によって整合されたネットワーク構成の任意の検証は、実際の最適化方法と独立しており、それにより検証方法は自由に選択でき、さらに入れ換えることさえもできる。これ以外に、このような独立性のおかげで検証はより有意性を持ちながら、他方では高価なフィールド測定がなくても可能である。本発明の方法
の精度は、特定の状況下において、整合したネットワーク構成のシミュレーションによる検証の付加的データに加えて、また実在の通信ネットワークからの測定データをさらに考慮することにより、望むように高めることができる。
【００１２】
本発明および装置の有利な変形および代替は、サブクレームの主題である。
【発明を実施するための最良の形態】
【００１３】
説明
本発明は、セルラー方式の無線通信ネットワークにおけるメッセージのスループットを最適化する方法、およびこの方法を行なうための装置に関する。これらは、特に移動加入者を伴うセルラー方式無線通信ネットワークであり、たとえば、ＵＭＴＳ規格に従う移動電気通信ネットワークの場合のように、一人のもしくは複数の加入者に対して、電気通信用のサービスを一つ、または混合した複数のサービスを同時に提供する。４つの基地局Ｂ１１０、Ｂ１２０、Ｂ１３０およびＢ１４０を備えたこのような通信ネットワークの例示的構成は図１に示される。
【００１４】
本発明の重要な特徴は、本方法を行なうために複雑なシミュレーション、調査、または測定が必要ないことである。むしろ、本方法はデータに基づいており、これは一般にネットワーク割当ておよび最適化プロセスにおいていずれ必要であって利用可能なものである。これはネットワーク割当ての要件に基づいて、本方法を迅速に行なうことを確実にする。本発明の方法の一般的流れは図２のブロック図に示される。
【００１５】
図２のステップ２１０に従い、加入者トラヒックおよび無線ネットワーク受信可能エリアに対して、最適化するべき通信ネットワーク用に、またはネットワーク部分用に、場所を基準としたデータが利用可能であるとする。この点について、通信ネットワークのどのセルの対象領域に対しても、前記数量の相当な数の値が利用可能であることを確実にするために、データは領域当たり十分な分解能で提供されなければならない。必須ではないが、これらのデータの適する配置としては、多数の相対的に小さい矩形領域エレメントからなる矩形の行列形式がとられ、各矩形領域エレメントには前記数量のそれぞれの値が関連付けられている。
【００１６】
加入者トラヒックとは、トラヒックが異なる場所で定められた、通信ネットワークで提供されるサービスごとのトラヒックである。加入者トラヒックデータは測定、数値的もしくは分析的方法またはシミュレーションによって、およびそのいずれかの組合せによって、得ることができる。
【００１７】
入力として必要であるネットワーク受信可能エリアは、各セルによって一定の伝送パワーで伝送される基準信号の、セルを基準とした受信パワーから得られ、受信パワーは異なる場所で検出される。基準信号は、多くの移動通信ネットワークで用いられるように、加入者移動局の無線識別用に、特に、たとえばパイロットチャネルを用いてもよい。このような基準信号が通信ネットワークに存在しない場合、仮想の基準信号を想定することができ、これは同じ伝送パワーで通信ネットワークの各セルによって伝送される。加入者トラヒックと同じように、基準信号受信パワーのデータは、それぞれ測定、数値的もしくは分析的方法、またはシミュレーションによって、およびそのいずれかの組合せによって、得ることができる。多くの場合、各基地局場所からの電界強度の、場所を基準としたパス損失データが、たとえば行列形式で存在し、それにより場所を基準とした基準信号受信パワーは基準信号の伝送パワー、用いられたアンテナ、およびたとえば本体の減衰のような他の無線伝搬損失を考慮して、計算することができる。
【００１８】
基準信号受信パワーデータが入手できる各場所において、最も高い受信パワーを有する
セルが通信ネットワークのモデルとして定められる。これにより、セルに対する領域エレメントの関連付けが行なわれる。特定のセルに関連付けられるすべての領域エレメントは、概してセル領域（以降単に「セル」という）と考えられている。通信ネットワークで提供されるすべてのサービスに有効である、無線チャネルの物理的伝搬条件により、さらに一般に加入者移動局で測定された基準信号の受信パワーに基づく、加入者の移動性を確実にするためのセル変更アルゴリズムにより、通信ネットワークモデルで決定されたセル領域は、通信ネットワークで発生する実際のセルの優れた近似として用いることができる。図１の移動通信ネットワークの例示的部分では、上記の態様で、基地局のまわりに形成されるセルは実線で描かれている。
【００１９】
本方法の目的は、セル間の加入者トラヒックを最適に分散することにより、通信ネットワークのメッセージのスループットを向上させることである。できる限りバランスのとれたトラヒック分散が行なわれると、どのサービスの加入者トラヒックも最もよい品質で行なえることが見出されている。この方法はセル間のトラヒックでこのバランスを確立することをめざしている。したがって、この目的を達成するために、加入者トラヒックの入換を可能にするためには、特定のセル領域は互いに移さなければならず、加入者トラヒックはここは別として、セル間では不変で固定している。一般に、セル領域当たりの加入者トラヒックは通信ネットワークのモデルのそれぞれのセル内にある現在のトラヒック値を累積することによって定められる。複数のサービスの場合のように、特定の場所におけるサービスごとのトラヒックはかなり異なることがあるので、異なるサービスのトラヒック値は適切に重み付けされて加算されなければならない。この重み付けは、それぞれのサービスによって事実上発生する無線干渉およびリソースの利用に依存する。したがって、通信ネットワークに応じて、たとえばシステムの帯域幅、チャネル帯域幅、達成されるべき信号パワー対干渉パワーの比、拡散、平均または最大データ速度、アクティビティ因子、およびコード制限などのパラメータがトラヒックの重み付けに入れられる。図１において、このように加算される、回線当たりのトラヒック値はＶ１１０、Ｖ１２０からＶ１４０で示される。
【００２０】
加入者トラヒックのセルに関連する値を入手すると、図２のステップ２２０に従い、セル間の加入者トラヒックの望む実質的なバランスについて達成された近似が評価されなければならない。このため、本発明の１つの可能な変形として、図１のように、調査した移動通信ネットワークの図形表示を援助として用いることができ、個々のセル領域はそこで行なわれる加入者トラヒックに関連した色で色付けされる。図２のステップ２３０の判定後、セル間の加入者トラヒックにおいて適切なバランスが達成されているのなら、この方法を終了することができ、このように見出されたネットワーク構成は、図２に示される最も簡単な場合では、ステップ２７０に従い、割当て用の改善されたベースとしてネットワーク割当てに利用できるようにする。このような状態にまだ到達していない場合、本発明の方法のステップ２４０において、隣接するセルがかなり異なるトラヒックを行なう問題のある区域を迅速に特定するために、この表示は用いられる。本発明の別の変形では、問題の領域の特定は数値的方法によって自動化された方法で行なうことができ、この数値的方法では隣接するセル間の加入者トラヒック値の差がチェックされる。この自動化されたステップは、セル間の加入者トラヒック値の差を最小限にするために、図２のステップ２２０-２５０からなる全体の最適化方法に組込まれる。
【００２１】
図２のステップ２５０後の、セル領域の局所的変位は、通信ネットワークのモデルにおける個々のネットワークエレメントでの、特定のネットワーク構成パラメータを変えることにより達成でき、特にそれぞれの適用されたアンテナダイアグラムのアンテナ傾斜角もしくはアンテナ高さを適切に整合させることにより、または、たとえば選択されたセルの基準信号の伝送パワーを整合させることにより、達成される。上記のように、これらのパラメータすべては、セル領域の形成には決定的に重要である、基準信号受信パワーの判定
に入れられるので、セル面もこのように変えることができる。たとえば、図１のネットワーク構成において局所的に制限される高い加入者トラヒックＶ１１０が基地局Ｂ１１０のセルで検出されたのなら、本発明に従いネットワークパラメータは適切に調整されるべきであり、それによりセル領域が小さくなり、このトラヒックの一部がこのセルから隣接するセルに移される。ネットワーク構成が調整された後、破線で示されるセル領域の変位が達成される。それにより、固定している部分的なトラヒック値Ｖ１１２、Ｖ１１３およびＶ１１４が基地局Ｂ１１０のセルのトラヒックＶ１１０から減算される。これらの値は図に示されるように、基地局Ｂ１２０、Ｂ１３０およびＢ１４０のセルに割当てられ、今度はこれらのセルはそれぞれＶ１２０＋Ｖ１１２、Ｖ１３０＋Ｖ１１３、およびＶ１４０＋Ｖ１１４のトラヒック値を有することとなる。このように達成されたネットワーク構成は、行なわれた変更のおかげで、個々のセルの加入者トラヒック値が前よりもよりよくバランスが保たれるのなら、より優れたものとなる。
【００２２】
好ましくは、セル間の加入者トラヒックで実質的なバランスを保つためのセル領域の変更は反復的に行なわれ、もとのネットワーク構成はステップごとに最適のネットワーク構成に近づく。１つの反復ステップでは、パラメータは１つまたは数個しか変更されない。その後、セル間の加入者トラヒックの所望のバランスへの近似は、図２のステップ２２０／２３０に従い新たにチェックされ、変形されたネットワーク構成によって定められた新しいセル領域はそのベースをなす。テストの結果から、次の反復ステップにおけるネットワーク構成の必要な変更が引出される。この手順も数値的方法によって自動化できる。このステップごとのアプローチは、セル間の加入者トラヒックで十分なバランスが達成されると終了できる。特に、もとの最も高い加入者トラヒックを有するセルのトラヒックが、通信ネットワークモデルの平均加入者トラヒックと比べて、明らかに減少することが特徴である。このようなトラヒックの減少は局所的干渉レベルを低減させ、それによりネットワーク品質も向上させることができる。
【００２３】
もとの構成よりもセル間の加入者トラヒックが著しくバランスのとれた分散を示すネットワーク構成が得られると、本発明の有利な変形に従い、図２のステップ２６０のネットワーク整合の結果を検証することができる。この検証は、たとえばネットワークシミュレーションによって行なうことができる。これを行なう際、ネットワーク品質を評価できるようにするために、このシミュレーションにおいてネットワークの時間的応答を考慮することも好ましいが、これは絶対必要であるわけではない。ネットワーク品質を測定するものとして、たとえばブロックされた交換の試みもしくは切断された接続の回数および場所、発生するエラー率および接続の遅延、または接続当たりのもしくはセル当たりのスループットを用いることができる。もちろん、ネットワーク整合の後、適切なネットワーク受信可能エリアが確保されていなければならない、すなわち種々のサービスが所定の場所で利用可能でなければならない。
【００２４】
通信ネットワークの結果は、本方法の精度を上げるために、本発明のさらなる有利な変形として、通信ネットワークの繰返される最適化に用いることができる。このような数量は特にネットワークシミュレーションで実際に起る加入者トラヒックであってもよいし、無線干渉を表わす数量であってもよい。後者はとくに、いわゆる「ノイズライズ」を含み、これは上り回線のセルの全体の干渉レベルを基準として、局所的に１つのセルに関連しかつ他の加入者によって引起こされる無線干渉の割合を特徴付ける。この数量は、特にＣＤＭＡネットワークに対して、局所ネットワーク利用について興味のある徴候を示す。さらに、局所的に起る呼出拒否、接続の中断、または失敗したセル変更試みについての情報も、その後の通信ネットワークの最適化のための境界条件として用いることができる。さらに、たとえば基準信号の伝送パワー対セル当たりの総干渉パワー比などのような数量も、本発明の方法を改良するために用いることができる。
【００２５】
同様に、本発明のさらなる変形において、上記のネットワークシミュレーションは、ネットワーク品質について、最適化されたネットワーク構成を比較するために、もとのネットワーク構成に対して前もって適用できる。それにより、ネットワークシミュレーションからの上記の付加的数量も本発明の方法に入れることができる。直接入力する数量として、シミュレーションによって定められたトラヒック値以外に、本方法に対して特にさらなる境界条件を定めることができる。これはたとえば中断および接続拒否のさまざまな理由および局所的制限にも当てはまり、その分析は本発明の方法を精度よく制御するための興味のある情報を与える。それに対する変形として、実在の通信ネットワークからの他の数量の測定値、特に上述の数量の測定値は、もとのネットワーク構成の最初の検証に入れることができる。
【００２６】
本発明の方法によって定められる改善したネットワーク構成を利用するために、この方法は図３に示される本発明の装置に導入される。より詳細に説明すると、無線アクセスネットワーク３１０とメッセージ交換ネットワーク３３０との間に差があり、これらは双方向インターフェイスを介して互いに通信できる。無線アクセスネットワークは、移動加入者への直接の無線接続を確立する通信ネットワークの部分であり、すなわち通信ネットワークの基地局を実質的に含み、さらに、必要なら、加入者との直接通信に必要なさらなるコンポーネントをも含む。メッセージ交換ネットワークは、交換ステーションおよび他のネットワークやサービスプロバイダへのゲートウェイとともに、通信ネットワークにおける基地局のネットワーク化を確立する。インターフェイス３２０を介して、送信された加入者メッセージならびに多種多様の送り出しおよび制御情報は双方向に伝送できる。データベース３５０がメッセージネットワークに設けられ、ここで位置データ、個々のネットワークエレメントの構成データ、メッセージネットワークからの種々の数量の測定データ、ネットワークエレメントからの計数データ、呼出統計値、割当てデータなどが組合せられる。これについて、図３のデータベースの印しは最初これらすべてのデータの単なる論理的集合を表わす。ネットワークプロバイダの実行に応じて、このデータの集合は必要に応じて結合されている複数のデータベースで実現できる。メッセージネットワークからのデータは双方向インターフェイス３４０を介していつでもデータベースに格納することができ、新しいネットワーク構成もそれを介してメッセージネットワークに送ることができる。さらに、図面に示されるように必ずしも自動車化されていない、移動測定装置によって測定された、メッセージネットワークからの数量およびパラメータは、任意にデータベースに格納することができる。
【００２７】
本発明の方法を装置で実行するため、コンピュータ装置３７０があり、これは通信ネットワークモデル３８０の形で、通信ネットワークの数値的実施を含む。このモデルは最初のネットワーク構成を反映し、これは双方向インターフェイスを介してデータベースにロードされている。図２に示される本発明の方法３９０は、改善されたネットワーク構成を作成するために、通信ネットワークに基づきコンピュータ装置で動く。この際、ネットワーク構成の変更は数値的に実施される通信ネットワークモデル３８０で行なわれ、それにより改善された構成が後で直接そこに設定される。必要なら、メッセージネットワークの最適化は、通信ネットワーク最適化器によって制御および監視できる。しかしこの影響が及ぶことは、上記の自動化によって実質的に制限され得る。
【００２８】
こうして決定された、改善されたネットワーク構成は、インターフェイス３６０を介して、まずデータベースに、次にそこからメッセージネットワークに送ることができる。メッセージネットワーク３１０および３３０自身からの測定値および測定装置３９９からの測定値により、得られたスループットの向上およびネットワーク品質の評価の完成を可能にする。このような測定された数量は、改善されたネットワーク構成の検証に寄与するために、今度はコンピュータ装置に送ることができる。
【００２９】
特に複数のサービスが提供されている、メッセージネットワークの場合のように、サービスごとの局所的加入者トラヒックは短時間で、すなわち１日数回、かなり頻繁に変わるので、ネットワーク構成をトラヒックについて変更された条件に迅速に適合させるのがよい。これは本発明の装置の一変形によって達成でき、基礎をなす方法の高速度が有利となる。この変形では、データベースに格納されるネットワーク構成およびトラヒックの現在の状態は、コンピュータ装置３７０に転送され、そこで直ちに本発明の方法で処理される。その後、その瞬間のネットワーク条件により整合した、迅速に決定されたネットワーク構成は再びデータベースに転送され、そこから直接メッセージネットワークに転送されてそこで活性化される。これによりメッセージネットワークにおいて可変の加入者トラヒックに対して比較的迅速な応答ができる。
【００３０】
本発明はその利点とともに詳細に説明されているが、本発明のさらなる変形および変更は、請求項に記載の発明の精神および範囲から逸脱することなく、上記の説明の意味において行なうことができる。
【００３１】
以下に記載される実施の形態の一例は、ＵＭＴＳ／ＦＤＤ通信ネットワークの選択された部分により、メッセージネットワークを最適化する本発明の方法を示すためのものであり、その一般的特徴は、たとえばH.HolmaおよびA.Toskala（編集）の「ＵＭＴＳ用のＷＣＤＭＡ」、第２版、John Wiley ＆ Sons、英国チチェスター、ＩＳＢＮ  ０−４７０−８４４６７−１に記載されている。開始点は約１０ｋｍ2にわたる領域を表わし、ここにはそれぞれ３個のセルを有する、合計１５個の送信局が配置され、従来のおよび技術の現状を構成する割当て方法に従い構成される。各送信局に対して、行列状に配置される受信場所のパス損失（パス損失行列）は、詳細な三次元サラウンドエリアモデルを利用して、放射光伝搬モデルにより、技術の現状に従い、１０ｍの空間的分解能で演算される。さらに、２５ｍの空間的分解能で、トラヒック行列の形にある、場所に関連するトラヒック密度の情報は、スピーチサービス（Speech）およびＷＷＷサービス（ＷＷＷ）の基礎をなす。
【００３２】
実施例において、最初のネットワーク構成は電気通信の容量および品質について、動的ＵＭＴＳシステムシミュレータによって分析される。その後、通信ネットワークは本発明の方法により最適化され、変更されたネットワーク構成は容量および品質においてもたらされた変更について、再び動的分析される。
【００３３】
各セルに対して、もたらされる等価のトラヒックは、基礎をなすトラヒックモデルおよび利用できる場所に基づくトラヒック密度情報に基づき演算される。電波伝搬条件およびネットワーク構成からもたらされる、各セルの局地供給領域は色によって示すことができ、カラーコードは以前に演算された等価のトラヒックに対応している。これについて、絶対値が重要ではなく、隣接するセルの値の相対的隔たりが重要である。
【００３４】
空間的に隣接するセルでは、かなり異なるトラヒックが行なわれると思われる。容量および品質について、動的システムシミュレータによるネットワーク構成の分析後、本発明に従い、通信ネットワークはアンテナ配向および基準信号の送信パワーの反復的変更によって定められ、これは所与の場所に基づくトラフィックおよび無線伝搬データのみに基づいており、この構成は最初の構成と比べて、著しくバランスのとれたトラヒックが予期される。
【００３５】
本発明の最適化方法によって定められたネットワーク構成は、セルに対するトラヒックがよりバランスがとれて分散されることを示すことができる。それにより、利用可能なグローバル通信ネットワーク容量をよりうまく利用することができる。
【００３６】
本発明の最適化方法により、もとのブロックおよび接続中断の可能性は実施例において
減じられることは明らかである。ほとんどすべてのサービス要求を受入れて、最適化されたネットワーク構成で供給することができる。実施例では、記載されている一般的条件下の通信ネットワークによって同時に提供される接続に対して、１１％の増加が示される。
【図面の簡単な説明】
【００３７】
【図１】無線通信セル間の通信量分散の調整を示す模式図である。
【図２】本発明の方法のブロック図である。
【図３】本発明に従う、通信ネットワークを最適化するための装置を示す図である。
【図１】
0004566001.tif 000002
【図２】
0004566001.tif 000003
【図３】
0004566001.tif 000004